(57)【要約】【課題】  本発明の洗顔用パフは、垢等の表面の汚れや、毛穴の深部に詰まりニキビの原因になったりする脂肪分や老廃物を更に効果的に取り除き、顔の美容と健康を更に増進することを狙ったものであり、繊維生地を特殊な構成としたことにより達成された。【解決手段】  セル膜を除去した軟質ウレタンフォーム材を芯材とし、繊維生地にて被包してなる洗顔用パフにおいて、繊維生地がニットのパイル編み生地であり、パイル部分には１０〜９０％のマイクロファイバ−と他のスパン糸９０〜１０％とからなる交編或いは交撚生地であることを特徴とする洗顔用パフ。１‥軟質ウレタンフォーム芯材、２‥パイル編み生地、１０‥洗顔用パフ。【選択図】図１
2005168751.tif 000002
【特許請求の範囲】
【請求項１】
セル膜を除去した軟質ウレタンフォーム材を芯材とし、繊維生地にて被包してなる洗顔用パフにおいて、繊維生地がニットのパイル編み生地であり、パイル部分には１０〜９０％のマイクロファイバ−と他のスパン糸９０〜１０％とからなる交編或いは交撚生地であることを特徴とする洗顔用パフ。
【請求項２】
繊維生地が軟質ウレタンフォーム材の片面を被包した請求項１記載の洗顔用パフ。
【請求項３】
繊維生地が軟質ウレタンフォーム材の両面を被包した請求項１記載の洗顔用パフ。
【請求項４】
マイクロファイバ−が１デシテックス以下の繊維である請求項１記載の洗顔用パフ。
【請求項５】
マイクロファイバ−がポリエステル繊維である請求項４記載の洗顔用パフ。
【請求項６】
他のスパン糸として、大豆蛋白質繊維、ポリ乳酸繊維、キチンビスコ−ス繊維、木綿を用いた請求項１記載の洗顔用パフ。
【請求項７】
軟質ウレタンフォーム材のセル数が１０〜６０個／インチである請求項１記載の洗顔用パフ。
【請求項８】
軟質ウレタンフォーム材が複数層積層された請求項１記載の洗顔用パフ。
【発明の詳細な説明】
【技術分野】
【０００１】
本発明は化粧落しや洗顔時に用いるパフ（以下、洗顔用パフという）に関する。
【背景技術】
【０００２】
従来から用いられている洗顔用パフは、スポンジ芯材を布等で被覆した全体に偏平な例えば楕円形状としているのが通常である。しかしながら、この従来の洗顔用パフにおいては化粧、汚れ、垢、脂肪分等を落とすことが主であり、素材が肌に与える影響に対しては殆ど考慮されてはいなかった。
【０００３】
素材が肌に与える影響を考慮したものとして特許文献１がある。これは皮膚の表面から美容に害のある脂肪分、老廃物を取り除くことができ、肌に悪影響のない抗菌性、抗カビ性、防臭性を有する洗顔用パフを提供するものであり、クッション材を芯材とし布体が被包してなる洗顔用パフにおいて、表面の布体を繊維表面に脱アセチル化キチンとセリシンとからなる複合体を固着してなる繊維のループパイル加工生地で形成したことを特徴とするものである。
【０００４】
【特許文献１】特開２００２−１４２８５７号公報
【０００５】
上記繊維の採用は、吸水性、乾燥性にすぐれ、かびに対する抵抗性もあり、耐酸性、耐アルカリ性、耐酸化剤、耐還元剤及び耐有機溶剤等の性質を有するため、長期間使用しても化粧品及び洗顔料等によりその影響を受けず、肌にもその影響を与えないこと等の結果に基づくものである。
【０００６】
そして、この繊維は比較的細く、かつループパイル加工生地であるため、汗腺や毛穴を開いて垢等の表面の汚れや、毛穴の深部に詰まりニキビの原因になったりする脂肪分や老廃物を取り除くことができる。従って、顔の美容と健康が増進されることとなる。
【発明の開示】
【発明が解決しようとする課題】
【０００７】
本発明の洗顔用パフは、垢等の表面の汚れや、毛穴の深部に詰まりニキビの原因になったりする脂肪分や老廃物を更に効果的に取り除き、顔の美容と健康を更に増進することを狙ったものであり、繊維生地を特殊な構成としたことにより達成されたものである。
【課題を解決するための手段】
【０００８】
本発明の要旨は、セル膜を除去した軟質ウレタンフォーム材を芯材とし、繊維生地にて被包してなる洗顔用パフであって、繊維生地がニットのパイル編み生地であり、パイル部分には１０〜９０％のマイクロファイバ−と他のスパン糸９０〜１０％とからなる交編或いは交撚生地であることを特徴とするものである。
【発明の効果】
【０００９】
本発明の構成は以上の通りであり、繊維生地を構成する一部としてマイクロファイバ−を用いたことにより目的が達成されたものであり、その割合を特定したことにより肌を痛めずに、しかも効率よく肌の表面の汚れや、脂肪分や老廃物を取り除くことができるようになったものである。
【発明を実施するための最良の形態】
【００１０】
本発明の洗顔用パフの基本構造は、繊維生地が軟質ウレタンフォーム材の片面又はその両面を被包した構造となっているもので、前者にあっては、軟質ウレタンフォ−ムの性質を利用して洗顔することも可能としたものである。
【００１１】
軟質ウレタンフォーム材は発泡時に形成されるセル膜を除去された三次元網状構造としたもので、泡立て効果が極めて優れたものである。そして、セル数は１０〜６０個／インチ程度のものがよく、泡立ちを良好にするにはできればセル数の異なる複数枚の軟質ウレタンフォームを重ね合わせて用いるのがよい。
【００１２】
繊維生地の必須の構成としては、マイクロファイバ−が用いられることであり、このマイクロファイバ−は１デシテックス以下の繊維であり、通常はポリエステル或いはナイロン繊維が好んで用いられる。
【００１３】
マイクロファイバ−はパイル部分に存在してその繊維同士が網目状のミクロスポイト構造或いはミクロスポンジ構造を構成して効果的な吸水、保水性能を発揮する。勿論、マイクロファイバ−の特性上から、皮膚の間に容易に入り込んで汚れ等を落とすことになる。ただし、パイル部分がマイクロファイバ−のみで構成されている場合には、かえって肌を荒らすこととなってしまう。このため、パイル部分はマイクロファイバ−と他のスパン糸との複合であるのがよく、マイクロファイバ−の比率は全体の１０〜９０％である。尚、各種の性能を加味すると、好ましくは３０〜６０％である。マイクロファイバ−と他スパン糸の複合使用にあっては、交編或いは交撚の態様のいずれでもよい。
【００１４】
マイクロファイバ−の製法については特に限定はないが、
（１）直接紡糸、（２）複合紡糸による海島型繊維、（３）複合紡糸により断面が米字型の繊維とこれにて区切られた８枚の繊維とでできた剥離型繊維で、いずれも延伸工程が必要である。（２）及び（３）では織物にした後で海成分の溶解除去、機械的化学的剥離等により極細繊維を得る方法がある。
【００１５】
パイル編物では、片面或いは両面丸編パイル組織、トリコット編、ラッセル編等のル−プパイル形状を有する編み物である。
【００１６】
他のスパン糸としては、特に限定されるものではないが、肌のためには、大豆蛋白質繊維、ポリ乳酸繊維、キチンビスコ−ス繊維、木綿を用いたものがよく、勿論、従来から知られている他の天然或いは合成繊維を用いたものであってもよい。
【００１７】
例えば、大豆蛋白質繊維は大豆粒を原料として球状蛋白質を抽出し、加工剤を加えて湿式防止法によって得られた再生繊維であり、透湿性、通気性、ソフトタッチの風合いを持つ繊維である。
【００１８】
ポリ乳酸繊維は、例えばカネボウ合繊株式会社製の商品名「ラクトロン」があり、その製法の一例として、特許文献２がある。絹様の風合いと光沢を持つ繊維であり、皮膚刺激性の小さい繊維である。
【００１９】
【特許文献２】特開２００３−２６８６２５号公報
【００２０】
更に、キチンビスコ−ス繊維は、例えばオ−ミケンシ株式会社製の商品名「クラビオン」があり、その製法の一例として、特許文献３がある。これはキチンとレ−ヨンとを融合して紡いだ製品であり、保温性に優れ、肌ざわりもソフトな感覚を有する繊維である。
【００２１】
【特許文献３】特許第２７３６８６８号
【００２２】
このように、本発明の最も特徴とするところは、セル膜を除去した軟質ウレタンフォーム材を芯材とし、これに肌に優しいスパン糸とマイクロファイバ−との交編或いは交撚繊維生地にて被包してなる洗顔用パフであって、マイクロファイバ−単独ではかえって肌を荒らすこととなってしまうが、両者を交編、交撚することによって洗顔用パフとして最も好ましい性状を発現したものである。
【実施例】
【００２３】
以下、図示の実施例について本発明を詳細に説明する。図１は本発明の第１実施例を示す洗顔用パフの断面図である。図において、符号１０は洗顔用パフを示し、セル膜を除去した軟質ウレタンフォーム芯材１と、この芯材１を包んだパイル編み生地２とからなり、この例では、偏平で平面視で楕円形をなしている。勿論、形状は特に限定されないことは当然である。
【００２４】
パイル編み生地２は、１デシテックス以下のマイクロファイバ−（ポリエステル繊維）３０％、他の繊維として、通常の合成繊維（例えば、ポリエステル繊維）や天然繊維７０％を用いたループパイル加工生地である。
【００２５】
図２は本発明の第２実施例を示し、軟質ウレタンフォ−ム芯材１の片面にのみ前記パイル編み生地２を配したものである。貼り合わせは従来の任意の方法によって行われる。
【００２６】
セル膜を除去した軟質ウレタンフォームは泡立ちを極めて良くする。尚、セル数は２５±３個／インチのものを用いた。
【００２７】
そして、前記パイル編み生地２は１デシテックス以下のマイクロファイバ−（４５％）とラクトロン（５５％）（カネボウ合繊製）とをル−プ状に編んだ繊維である。かかるマイクロファイバ−は、皮膚に対する接触面積が大きいために、汚れを効果的に落とすこととなる。同時に、糸の断面が多角形状を呈しているため、これに基づくソフトエッジ作用に依り、汚れのそぎ落とし、すなわち、良好な汚れ落とし効果が奏されると言う特性を備えている。勿論、マイクロファイバ−単独では皮膚に対して働きが強く、逆に皮膚を荒らすことになるが、適量の交編或いは交撚としたことによりこの欠点をなくし、特徴あるパフとなったものである。
【００２８】
即ち、マイクロファイバ−の適量の存在により、毛穴、汗口、皮溝の汚れは勿論のこと、老化した古い角質まで取り除くことができるもので、顔色の艶をとり戻し、ニキビの角質を作らせないためニキビの追放にも効果を発揮する。
【産業上の利用可能性】
【００２９】
本発明は、マイクロファイバ−としてポリエステル、スパン糸としてポリエステル、アクリルやナイロン等の合成繊維、セルロース繊維等の天然繊維とを交編或いは交撚して、かつ、１デシテックス以下の極細糸を用いてニットのパイル編み生地としたので、人体の皮膚の表面に対してソフトで、極めて良好なる洗浄作用が奏される。即ち、皮膚表面の汚れは元より、皮膚の細かい隙間に深く入り込み、汚れ落とし（化粧品の除去）等の効果が果たされる。マイクロファイバ−の保水力は勿論、軟質ウレタンフォ−ムの存在により洗浄作業が簡易化されることになる。
【図面の簡単な説明】
【００３０】
【図１】図１は本発明の第１実施例を示す洗顔用パフの断面図である。
【図２】図２は本発明の第２実施例を示す洗顔用パフの断面図である。
【符号の説明】
【００３１】
１‥軟質ウレタンフォーム芯材、
２‥パイル編み生地、
１０‥洗顔用パフ。
【図１】
2005168751.tif 000003
【図２】
2005168751.tif 000004
【手続補正書】
【提出日】平成15年12月11日(2003.12.11)
【手続補正１】
【補正対象書類名】図面
【補正対象項目名】図１
【補正方法】変更
【補正の内容】
【図１】
2005168751.tif 000005
【手続補正２】
【補正対象書類名】図面
【補正対象項目名】図２
【補正方法】変更
【補正の内容】
【図２】
2005168751.tif 000006